【手続補正書】
【提出日】平成18年6月1日(2006.6.1)
【手続補正１】
【補正対象書類名】明細書
【補正対象項目名】全文
【補正方法】変更
【補正の内容】
【書類名】          明細書
【発明の名称】      遠隔通信器機および中間介在プロセサー
【特許請求の範囲】
【請求項１】  遠隔通信ネットワークの利用に当って遠隔通信器機のユーザーがネットワーク利用契約を持つことを確認するためにネットワークプロバイダー側より随時発信される信号を受信しこれに適正な応答が行われることで通話が成立する形式の遠隔通信器機に関するもので、
ネットワーク利用契約者認識用モジュールカードが遠隔通信器機に内蔵され、この内蔵モジュールカードにアクセスできるネットワークプロバイダーが固有のプロバイダーのみに限られる遠隔通信器機に対して外部器機を装着し、この装着した外部器機に固有のプロバイダーとは別のネットワークプロバイダーの利用契約者認識ができる外部モジュールカードを装填して、その外部モジュールカードと内蔵モジュールカードとを電子的に連結させることによって、複数のネットワークプロバイダーがネットワーク利用者の認識を求めて随時行う信号の発信に応答することを可能にした
ことを特徴とする遠隔通信器機。
【請求項２】  遠隔通信器機と外部器機との間に介在する中間介在プロセサーを備え、この中間介在プロセサーによってユーザーが固有のプロバイダーとは別のネットワークプロバイダーとの間の信号受信および応答を行うことが可能である
ことを特徴とする請求項１記載の遠隔通信器機。
【請求項３】  遠隔通信器機を有効にするための中間介在プロセサーは、遠隔通信器機に装着される形で使用される
ことを特徴とする請求項２記載の遠隔通信器機。
【請求項４】  遠隔通信器機に装着される形で使用されるメモリー装置を備え、このメモリー装置によって受動的にネットワークプロバイダー各社からの信号に対して応答することができるとともに、スマートカード、マルチメディアカードその他差し替え可能な形の各種のカードの使用に対応できる
ことを特徴とする請求項１記載の遠隔通信器機。
【請求項５】  携帯電話としての利用が可能である
ことを特徴とする請求項１記載の遠隔通信器機。
【請求項６】  遠隔通信器機に装着した外部器機に対して複数の外部モジュールカードが装填可能となっている
ことを特徴とする請求項１記載の遠隔通信器機。
【請求項７】  遠隔通信器機に備わるメモリーシステムとは別個に外部に装着した外部器機が持つメモリ機能を併用することができ、外部器機が持つメモリ機能は、赤外線利用、あるいは有線、無線などの手段によって遠隔通信器機が内蔵するメモリーシステムと連結することができる
ことを特徴とする請求項１記載の遠隔通信器機。
【請求項８】  遠隔通信器機に装着可能なあるいは既に製造の工程において装着されたモジュールカードホルダ―あるいはカードリーダーを持つことにより、ユーザーは、モジュールホルダ―あるいはカードリーダーに固有のネットワークプロバイダーとは別のプロバイダーが提供するモジュールカードあるいはスマートカードを装填することによってそれら他業者の発信する信号に応答することができる
ことを特徴とする請求項１記載の遠隔通信器機。
【請求項９】  遠隔通信器機と外部器機との間に介在して両者を結ぶ働きをする中間介在プロセサーを持つことによって新たにメモリー機能を持つことができ、これによって他のネットワークプロバイダーからの信号を受信し応答することが可能である
ことを特徴とする請求項１記載の遠隔通信器機。
【請求項１０】  固有のネットワークプロバイダーが遠隔通信器機の中に組み込んだ形で専用の利用契約者認識用の内蔵モジュールカードを提供する仕組みになっており、さらに別途に他のネットワークプロバイダー各社対応の外部モジュールカードを併用することで遠隔通信器機に固有のネットワークプロバイダー以外の各社が提供するネットワークの利用を可能にするものであり、このとき使用する複数の外部モジュールカードによってユーザーは遠隔通信器機に固有のネットワークプロバイダー以外の他のネットワークプロバイダーが発信する信号を受信しこれに適正に応答することができる
ことを特徴とする請求項１記載の遠隔通信器機。
【請求項１１】  スイッチングシステムを備え、このスイッチングシステムによって、固有のネットワークプロバイダーとの契約関係を損なうことなく、固有のネットワークプロバイダーとは別の複数のネットワークプロバイダーの提供するネットワークサービスを利用することができる
ことを特徴とする請求項１記載の遠隔通信器機。
【請求項１２】  遠隔通信器機にアクセスできる電子回路を有し、この電子回路は、曲折自在でかつ密着可能な材質の導線からなり、既存の携帯電話機の機体の構造に沿ってわずかに間隔を通して装着される
ことを特徴とする請求項１記載の遠隔通信器機。
【請求項１３】  遠隔通信器機および外部器機を作動させるためのバッテリーを備える
ことを特徴とする請求項１記載の遠隔通信器機。
【請求項１４】  スマートカードを利用することができる
ことを特徴とする請求項１記載の遠隔通信器機。
【請求項１５】  中間介在プロセサーは、外部器機と外部モジュールカードとの間を電子的に結ぶことを可能にする機能を有する
ことを特徴とする請求項１３記載の遠隔通信器機。
【請求項１６】  スマートカードリーダーを使用することができる
ことを特徴とする請求項１３記載の遠隔通信器機。
【請求項１７】  固有のプロバイダーとは別のプロバイダーによるネットワークにアクセスする操作を可能にし、遠隔通信器機に対して取外し可能に装着した外部器機に装填した外部モジュールカードがあたかも遠隔通信器機に本来備わっている内蔵モジュールカードであるかのような働きをさせる
ことを特徴とする中間介在プロセサー。
【発明の詳細な説明】
【０００１】
（発明の分野）
本発明は、通信用器機、特に携帯電話など通話用ネットワークの提供業者が契約者の認識を行い、ネットワーク利用の権利を承認することによって通信を可能にするタイプの器機およびその利用方法の向上のための技術に関するものである。
【０００２】
この明細書では個人用携帯電話の場合のみを取り上げて解決するが、本発明が有効となる範囲はこれに留まるものではない。
【０００３】
（従来の技術）
現在一般に使用されている個人用携帯電話は、ネットワークプロバイダーが電話器機利用者の認識を行った上で回線を接続・保持する認可を与える方式が取られている。本発明は、この方式によるネットワーク利用に関して生じる問題に対応する方法を講じるためのものである。
【０００４】
携帯電話による通信網の利用は、利用者がネットワークプロバイダーとの間に契約を結び、プロバイダーがその電話機の保持者がネットワークの契約者であることを証明する契約者認識用モジュールを契約者に与えることによって可能となる。このモジュールは携帯電話器機内に予め挿入されており、ネットワークプロバイダーはこのモジュールによって契約者にネットワーク利用の権利のあることを認識し、契約者によるネットワークへのアクセスを許可する。ネットワークプロバイダーは、この契約者認識用モジュールにアクセスして契約者を認識することによって料金計算その他ネットワーク利用契約に係わる業務の処理を行う。
【０００５】
このネットワーク利用契約に関する情報の一切はネットワークプロバイダーによって管理されており、プロバイダー各社は、商業上および契約上の理由から他業者によるこの情報へのアクセスを厳重に排除しているが現状である。
【０００６】
しかしながら、もし異なるネットワークを提供する他のプロバイダーが、その電話器機を通して利用者との間に利用契約を結んでいる本来の業者の許可を必要とせずにそのネットワークを利用する、または同様あるいは同一の器機を使用することによってこれら情報にアクセスすることができ、その提供するネットワークの利用の権利を与えることが可能となればその利益は限りなく大きい。
【０００７】
こうしたあり方の契約利用関係が成立すれば、たとえば銀行あるいは法規取り締まり業務、さらには通常の商況活動の上でも利用価値はきわめて高いはずであるが、現状では経費的にこれは可能ではなく、また、現在の化学技術水準では可能でない。
【０００８】
第一の問題点は、そもそも携帯電話というものが契約者認識用モジュール（ＳＩＭ）を認識することによってはじめて完全な形での通話サービスを提供することができる方式になっていることである。この契約者認識用モジュールは単にデータを保持するだけでなく、たとえばＧＳＭ接続プログラムなど、通話成立に必要なプログラムを起動させるものでもある。このプログラムには通話を成立させるために必要な情報やデータが内包されている。この情報、データを当該サービスのプロバイダー以外の第三者が利用、アクセスなどすることは一切可能でない。この情報、データを独占的に使用するプロバイダーは、契約者認識用モジュールから発信された適正な確認信号を受信することによって契約者を認識する仕組みになっている。このシステムの安全性の確保は、このネットワークを提供するプロバイダーにとって極めて大きな関心事となっている。
【０００９】
携帯電話利用機能を作動させるためのソフトの大部分が契約者認識用モジュールに内包されており、たとえば第三者企業がこれにアクセスするなど、本来モジュール（ＳＩＭ）に設定されていない機能をサービスに加えようとする場合には、その機能をモジュールに付加しなければならないが、このモジュールはネットワークサービスのプロバイダーによって厳しく管理されている。従って、携帯電話器機に対して、ネットワークプロバイダー以外の第三者が商業的に新たな機能を付加しようとする場合は、プロバイダーが適用する条件に従って料金を支払うことを前提にプロバイダーに許可を得る必要が生じてくる。
【００１０】
その上、携帯電話などの器機はその製造業者が提供するものであるため、器機の利用効果を高めることを求めて同器機のインターネット回路にアクセスを試みると、電話の利用者が器機の保証を受ける権利を失うなどの問題が生じる。また、器機のセキュリティー機能を侵害し、回路そのものを破壊させてしまうに至ることになる可能性もある。また携帯電話器機は、電話回線ネットワーク利用契約の一環として利用者に供与される形式を取るものが多く、プロバイダー企業に対して無断でプロバイダーが意図した以外の目的を持って器機の電子的回路にアクセスするなどの行為を行うと契約条件の破棄につながる結果に至る可能性がある。
【００１１】
以上の状況から、携帯電話の利用は電話回線ネットワークあるいは電話器機提供業者の強力な管理権に縛られているというのが現状である。
【００１２】
本発明は、上述した問題を軽減する手段を提供するものである。
【００１３】
（発明の内容詳述）
本発明は、ユーザーが電子通信手段利用契約者であることをオペレーティングシステムを通じて確認することで利用が可能になるデジタル式携帯電話機に対応するものである。この方式においてユーザーが当該の電子通信手段の利用契約者であることを確認するための電子信号がネットワークプロバイダーより発信されるとユーザー側の器機の利用契約者認識用モジュールによってこれを受信し記憶装置内に蓄積して正当な信号が返送される。この段階においてネットワークプロバイダー以外の発信源より利用者確認のための認識用信号が発信されると、この認識用信号は異極の記憶システムに向けられることになる。
【００１４】
さらにこのことを別の角度から述べると、本発明は、遠隔通信のための器機を外部から補佐することによって、ネットワークプロバイダーがその提供するサービスの利用契約者であることを認識するための信号に利用者が電子的手段によって応答しプロバイダーがそのサービスの提供を行う方式の遠隔通信器機の利用を可能にするためのものであるが、本発明は、器機の所持者がさらにこの器機の提供するサービスの範囲を越えてさらに広い可能性のある利用ができることを助けるものである。これは遠隔通信器機に中間的システムを介在させることによって一社以上のネットワークプロバイダーの利用を可能にするものである。これは、プロバイダーが個々の器機利用契約者に対して電子的に信号を発信し、ネットワーク利用傾斜者からの応答を受けることによってネットワーク利用のための許可を与える方式の遠隔通信用器機に対して中間的システムを介在させ、これによってその通信器機の利用者がその器機の利用の範囲を越えてプロバイダー以外の通信ネットワークを利用できることを可能にするものである。
【００１５】
これを可能にする方法としていくつかの可能性があるが、ひとつは、この中間システムを通信器機の内部に組み込む方法である。これは器機製造の過程において中間システムを構造的に内蔵させる、あるいはこれを製造し終わった携帯電話機の外部に接続的に負荷するなどの方法によって行うことが可能である。
【００１６】
すなわち、本発明の特徴は、遠隔通信器機に付加する追加機能を器機の製造工程においてその器具のＣＰＵとしてその中に組み込むことも可能であり、また完成品に対して、ＣＰＵを付加的に追加する形で装備することも可能であるという点にある。
【００１７】
また、介在システムを器機の外装に取り付け、遠隔的に器機を機能させることも可能である。
【００１８】
ここに提案する形態のひとつは、器機にソケットを装着し、このソケットに引出し導線を接続し、これを器具内に挿入し、電話機の機能と外部器機とを電子的に連結させる方式である。これに上述の中間介在プロセサーをソケット内に装填の形で装着して電子的に連結させ、これによって、電話機に本来内蔵されているネットワーク利用者認識用モジュールが特定の契約プロバイダーが送る電子信号とは異なり別のプロバイダーが発信する利用契約者認識信号を感知して確認信号を返信することによって、その器機が指定するプロバイダー以外のプロバイダーによるネットワークの利用が可能となる。この中間介在プロセサーは、外部ネットワーク利用者確認用モジュール（ＳＩＭ）を通じて受信した別のネットワークプロバイダーの発信する利用契約者認識用信号を受信した後、この同じＳＩＭを通じて信号を発信したネットワークプロバイダーに応答する。こうして、製造後に器機の外部に装填した適正なＳＩＭから、本来その器機に備わっているＳＩＭから発信した信号と全く同一の機能を持った信号が送信されることになる。このプロセサーを装着することで、形態電話器機が本来持ち合わせていなかった新たな機能を器機に付加することが可能となる。また、他の器機に対しても同様に新たな機能を持たせることが可能となる。さらに、ネットワークプロバイダーの提供する可能を通して成立している通話契約を中断する必要がないことも大きな特徴である。
【００１９】
これは、器機のメンテナンス保証および契約の継続に影響を与えることなく、既存の形態電話器機に対して構造的かつシステム的に新しい機能を、いわばおんぶする形で追加付与することになる。現行の携帯電話は「ショートメッセージサービス」（ＳＭＳ）と呼ばれるシステムによっているが、これは音声を伝える手段としては通常の電話よりコスト的に幾分安い程度だが、データを送信場合には音声電話より経済的に有利である。
【００２０】
この明細書でいう「遠隔通信器機」とは携帯電話のことをいう。
【００２１】
また、この明細書で言う「中間介在プロセサー」には、プログラムおよびデータが含まれ、データ読み取り部分は電話器機と分離した形で使用することができる。このデータ読み取り部分（チータリーダー）によって電話機の構造内に保存されたプログラムおよびデータを読み取り、必要に応じてこれらプログラムおよびデータを利用することができる。
【００２２】
このプログラムおよびデータリーダーは、スマートカードリーダーであることが求められる。
【００２３】
遠隔通信器機のメモリー機能の増加を図ることが求められるが、そのためには器機に対してメモリー機能を持つシステムを付加する方法を取ることが可能である。
【００２４】
そのための方法として、器機のシステムを拡大させる、あるいは外部にシステムを設けてこれを無線的または有線的に器機のシステムに連結させる、などの方法を取ることが可能である。
【００２５】
携帯電話機に外部器機を接続し、これによってプロバイダーからの通信ネットワーク利用契約者認識信号に応答する能力を付加し、また電力供給を行うことも可能である。
【００２６】
そのためには、携帯電話機に読み取りプログラム装置を装着するためのホルダーが必要となる。この他に受信用の装置を装着することも必要である。こうした機能はすべてスマートカードリーダーに納められるもので、このカードはネットワークプロバイダー各社から給付される。
【００２７】
利用するネットワークの数によって、ＳＩＭカードソケットは複数個あることになる。
【００２８】
このように携帯電話機に対して外部から付加するＳＩＭカードは、あたかもその携帯電話機が本来持つＳＩＭであるかの如く機能し、ネットワークプロバイダーからの利用契約者認識用信号に対して適性に応答することができる。従ってこれは携帯電話のいわばバーチャルＳＩＭカードである。
【００２９】
ＳＩＭカードはネットワークプロバイダーよりそのネットワーク利用契約者に対して支給されるもので、このカードによってユーザーは器機のプロセサーユニットに電子的にアクセスしてネットワークを利用することができる。このネットワークにアクセスするには、ユーザーはネットワークプロバイダーがＳＩＭに対して送信するネットワーク利用契約者認識のための信号を受信し、これに対して適正な応答を行わなければならない。プロバイダー側から信号が送られ、この信号を器機に本来備わっているモジュールが受信し、これを外部でプロセサーユニットに伝え、適正な応答信号を受け取ってこれに対応する信号をネットワークプロバイダーに返送し、以後、通常の通話が成立する。
【００３０】
本発明の利点は、スイッチによってひとつのプロバイダーからの別のプロバイダーへの切り替えが容易に行え、また異なるネットワークプロバイダーに対して信号を発信することができる点にある。これによって携帯電話機が本来装備しているプロセルユニットは、この外部ユニットが応答する異なるネットワークプロバイダーに対して同様に応答できる。こうしてこの外部ユニットを装備した携帯電話機は、その器機に本来付与されている範囲を超えて、複数のネットワークプロバイダーの提供するネットワークにアクセスすることが可能となる。
【００３１】
本発明は、「インテリジェントスイッチ」の利用によって、コンピュータ自身の判断によるスイッチの切り替えおよび異なる契約者認識用の信号に対して応答ができるという大きな利点を持っている。これによって携帯電話本機のセントラルプロセシングユニットが当該電話機の契約プロバイダー以外のネットワークプロバイダーからの能動的あるいは受動的信号に適正に応答し、これら異種のネットワークコンピュータを利用することが可能となる。
【００３２】
ここでいう「能動的」とは、プロバイダーが利用許可を与えるために信号を送信する場合のことを指す。
【００３３】
契約プロバイダー以外のプロバイダーとは、当該の携帯電話機の提供するネットワーク以外の通信ネットワークを提供するプロバイダーを意味し、この他業者の提供するネットワークを利用しても、当該電話機のネットワーク提供業者であるプロバイダーから制約を受けることは一切ない。従って他業者によるネットワークを利用することで本来の業者のネットワーク利用を停止しなければならないという事態に至ることはない。
【００３４】
このインテリジェントスイッチは既成の携帯電話本機の外部に装着することができる電子機器で、本機に対していかなる変化も加えるものではないため、当該電話機が持つ機能を損なうことは全くない。
【００３５】
本発明は、携帯電話機本体に対してひとつの導線回路を装着して本機と連結するものであるが、この導線は極めて軟性度および接着性の高い材質のもので、既成の携帯電話機が構造的に持っている各所の間隙を通し、外部のモジュールカードと携帯電話機本機のモジュールカードとの間を電子的に連結することができる。
【００３６】
携帯電話の多くは、バッテリーを使用する方式となっているが、これにさらにバッテリーホルダーを装着して外部バッテリーを併用することが可能である。
【００３７】
携帯電話機本機の外部にさらにバッテリーホルダーを装着してこれにバッテリーを装填することで、携帯電話機の機能を補強するための様々な機器を装着して使用することが可能になる。前述のインテリジェントスイッチを装着することも可能になるし、また、同じく前述の携帯電話ネットワーク利用契約者認識用信号への応答の他に別のプロバイダー各社との間の信号応答を行うことが可能となる。
【００３８】
この外部装着の機器にはスマートカードリーダーを内包することができ、これにアクセスすることでこの携帯電話の利用に応じようとする他プロバイダーとの間の応答が可能となり、これら他業者が当該携帯電話機の利用者に通話サービス利用の許可を与えることが可能となる。
【００３９】
このように当該電話機に対して本来指定されているものとは異なるネットワークの利用が可能であることはかねてから広く知られており、上述の方法は、秘密の保持を損なうことなく他業者によるネットワークの提供を受けることを可能にするものである。
【００４０】
以上の通り、本発明は特に携帯電話に対して有効であるが、その有効性の範囲は携帯電話にとどまるものではなく、他の様々な機器に対しても利用することができる。
【００４１】
プロバイダー側から発信に対して応答が求められるものとしては、テレビ信号の翻訳のためのデューダ−が挙げられる。これによって光ケーブルによる通信が可能となる。これがない場合は、テレビ信号プロバイダーを介してこれを行うことになる。このようにプロバイダーを介して光ファイバーを利用する場合は、光ファイバープロバイダーからの信号を読み取って利用契約者であることの確認を受けることで利用したサービスの料金の支払いなどを行うことになる。
【００４２】
このように本発明は、携帯電話に限らず広い分野において有効である。すなわち、サービスのプロバイダー側が発信するネットワーク利用契約者認識用モジュールを読み取って機器が適正な応答を行うことでそのネットワーク利用の許可を獲得し、これによってサービスの提供を受ける形を取っているネットワークサービスの利用に対してこれが有効となる。
【００４３】
本発明は、デジタル式携帯電話機器に関するのもであるが、前述の通り、携帯電話と同様にその器機の保持者がネットワークの利用契約者であることを認識することによって、ネットワークへのアクセスが成立する方式を取る様々な器機に対応できるものである。
【００４４】
本発明は、上述の通りユーザーが電子通信手段利用契約者であることをオペレーティングシステムを通じて確認することで利用が可能になるデジタル式携帯電話機に対応するのものである。この方式においてユーザーが当該の電子通信手段の利用契約者であることを確認するための電子信号がネットワークプロバイダーより発信されるとユーザー側の器機の利用契約者認識用モジュールによってこれを受信し記憶装置内に蓄積して正当な信号が返送される。この段階においてネットワークプロバイダー以外の発信源より利用者確認のための認識用信号が発信されると、この認識用信号は異種の記憶システムに向けられることになる。
【００４５】
このようなネットワークの利用方法は、当該器機に対してその器機の利用者とネットワークプロバイダーとの間に成立した契約に違反するものではなく、契約したネットワークサービスを継続しながらさらに別途に、別業者によるネットワークの提供を受けることができるという点で、機器の利用効果をさらに高めるものである。
【００４６】
（図面説明）
本発明品の内容の理解の助けとして図面を示したが、これに関しては更に説明を加える。
【００４７】
図１はスマートカードリーダーを機体外部に備えた携帯電話機。図２は図１に示したものを背後から見た図。図３は携帯電話機の背部に装着されたバッテリーパックを内蔵する器具の背面図。これによってバッテ−リーだけでなく、その他の必要器機も同時に装着することができる。図４は本発明になる外部装着機器の回路図。図５は本発明になる外部機器とＳＩＭカードソケットとを結ぶ導線の配線図。
【００４８】
（図面詳細解説）
以上の図面をさらに詳細にわたって解説することにする。まず図１、２について詳述する。携帯電話機のバッテリーは通常機体（１）の背面下部に収蔵されている。本発明の器機を同じく機体の背面下部に装着する場合は、この部分にバッテリーを収蔵することはできないので、２の位置に外部ホルダーを装着することになる。これを行わなければ機体に対しては何ら改造を加える必要はない。
【００４９】
図３は、外部のバッテリーホルダーの図である。２がその本体部分である。３によってこのホルダーを既存の携帯電話機に装着する。これを電話機に本来装備されているＳＩＭカードを差し込み部分とどのように連結させるか、また両者をどのように電子的に連結させるかかはここには図示されていない。図２において、スマートカード(５)は、差し込み口（４）に差し込んでこのスマートカードの情報を読み取らせ、必要なときにこの上方を読み取ることができる。
【００５０】
図４は、ブロック毎に示した回路図である。10の位置にセントラルプロセシングユニット（ＣＰＵ）が配置されている。このセントラルプロセシングユニットは、11の電話機インターフェースロジックシステムを介して12のＳＩＭソケットに連結されている。ＣＰＵは、また13の時計装置とも連結されている。さらに14の電源コントロールロジックを介してバッテリーインターフェース（15）とも連結されている。ＣＰＵはまた、メモリー（16）、メモリーコントロールロジック（17）、リブルタイムの時計（18）とも連結されている。さらにＯＳＩＭインターフェースおよびＥＳＩＭインターフェースとも連結されている。ＯＳＩＭインターフェース（19）は、第１のＯＳＩＭコネクター（20）および第２のＯＳＩＭコネクター（21）を内蔵しており、ユーザーは第１、第２コネクターにそれぞれ別のＳＩＭカードを差し込み、このいずれかを選択して使用する。このコネクターのＳＩＭカードを差し替えることで、２社あるいはそれ以上のプロバイダーのザービスを選択しながら利用することができるのである。
【００５１】
一方ＥＳＩＭインターフェース（22）はＥＳＩＭコネクター（23）を内蔵している。これはスマートカードリーダーその他として機能する。
【００５２】
携帯電話機の製造工程においてこれに中間介在機器が組み込まれる場合は既に携帯電話機の中にこの機能が内蔵されるので、ＣＰＵ（10）を外部器機として装着することは必要でなくなる。そしてまた、電話機のインターフェースロジックシステム（11）をＳＩＭソケット（12）に対して連結する必要もなくなる。
【００５３】
図５は、携帯電話機に対して異なる機器を装着して使用するタイプを示す。携帯電話機（30）からバッテリーを除去した図である。バッテリーのコンパートメント内部31の箇所にＥＳＩＭソケット（31）が見えている。ＳＩＭカード（32）をＳＩＭカードソケットから抜き取った状態を図示した。ＳＩＭカードソケット（33）はリボンケーブル（34）によって外部機器（35）と連結している。外部機器（35）には、図４で示した回路が組み込まれており、ここに最低限１個のソケットが装着されている。これがない場合には31のソケットにＳＩＭカードを挿入して使用することになる。
【００５４】
外部機器（35）へは、電話機の文字・数字盤・文字・数字表示画面を使ってアクセスする。
【００５５】
本明細書では、携帯電話ネットワークプロバイダーとの電話の利用者との間の交信に関してのみ述べてきたが、本発明の利用は1対の交信間のみに限られるものではなく、２対あるいはさらに多くの交信を有効にするものである。
【００５６】
本明細書においては、特定の条件に関して「有効である」「対応できる」との解説を行っているが、これはその条件のみに「有効である」あるいは「対応できる」ものであると限定するものではない。従って、そこには述べない条件の場合を排除するものではない。
【００５７】
以上述べた本発明の諸特徴は、いずれもデジタル式携帯電話回線ネットワークを用いた通信に適用できるものである。
【００５８】
現在市場に流通し広く使われているデジタル式携帯電話にはユーザーが差し替えできる電話回線ネットワーク利用者認識用モジュールカードが内部のモジュールカードに装着されており、電話機本体がこのモジュールカードの記号を認識することによってその電話機の所有者が確認され通話が成立する。このとき利用者がアクセスできるデジタル式電話回線ネットワークはその電話機に対して固有のネットワークに限られる。通話しようとする地域へのアクセスが他の電話回線網を利用しなければ可能でない。あるいはその方が通話状態、経済的条件などの上で有利であるなどの理由で異なるプロバイダーの提供するネットワークを利用しようとする場合は、そのプロバイダーのみに対して有効な別のモジュールカードを差し替えて通話を行うことが可能である。本発明では、デジタル式携帯電話に装着されている差し替え可能モジュールカードホルダーとは別に機体外にモジュールカードを装着して、電話機本体内部に装着されているその電話機本来のモジュールカードと新たに外部に装着したモジュールカードとを電子的に連結し、当該電話機に固有のプロバイダーとは別のプロバイダー側から発信される確認信号に対して有効な信号を送ることができるように計らうものである。
【００５９】
（発明の効果）
外部モジュールカードと内蔵モジュールカードとを電子的に連結させることによって、複数のネットワークプロバイダーがネットワーク利用者の認識を求めて随時行う信号の発信に応答することができる。
【図面の簡単な説明】
【図１】
スマートカードリーダーを機体外部に備えた携帯電話機。
【図２】
図１に示したものを背後から見た図。
【図３】
携帯電話機の背部に装着されるバッテリーパックを内蔵する器具の背面図。
【図４】
本発明になる外部装着機器の回路図。
【図５】
本発明になる外部機器とＳＩＭカードソケットとを結ぶ導線の配線図。